(57)【要約】【課題】異なる給紙部に収容された種類の異なる記録用紙から、複数枚綴りの一連の記録物を完全な状態で出力できる画像記録装置を提供する。【解決手段】一連のジョブとして入力された複数頁からなる画像データの各頁を、それぞれ異なる給紙部に収容された記録用紙上に記録するように、記録動作を制御する制御部２３０と、上記給紙部に収容されている記録用紙に関する情報を管理している管理部２７０と、を備え、上記制御部２３０は、管理部２７０から出力される記録用紙に関する情報に基づいて、記録動作を制御する。【選択図】  図２
2004206012.tif 000002
【特許請求の範囲】
【請求項１】
一連のジョブとして入力された複数頁からなる画像データの各頁を、それぞれ異なる給紙部に収容された記録用紙上に記録するように、記録動作を制御する制御部を備えた画像記録装置において、
上記給紙部に収容されている上記記録用紙に関する情報を管理している管理部を備え、
上記制御部は、上記管理部から出力される上記記録用紙に関する情報に基づいて、上記記録動作を制御することを特徴とする画像記録装置。
【請求項２】
上記記録用紙に関する情報は、記録用紙のサイズに関する情報であり、
上記制御部は、上記異なる給紙部に収容されている記録用紙のサイズが同一である場合に、上記記録動作を実行するように制御することを特徴とする請求項１記載の画像記録装置。
【請求項３】
上記記録用紙に関する情報は、上記給紙部内の記録用紙の収容状況に関する情報であり、
上記制御部は、上記給紙部内に記録用紙が収容されていない場合には、上記記録動作を禁止するように制御することを特徴とする請求項１又は２記載の画像記録装置。
【請求項４】
上記画像データが記録された画像記録面が露出するように記録用紙を載置する第１の載置部と、上記画像記録面が露出しないように記録用紙を載置する第２の載置部とを備え、
上記制御部は、上記第１の載置部に上記記録用紙を載置する場合と、上記第２の載置部に上記記録用紙を載置する場合とで、上記異なる給紙部からの記録用紙の給紙の順序を切り換えることを特徴とする請求項１ないし３のいずれかに記載の画像記録装置。
【発明の詳細な説明】
【０００１】
【発明の属する技術分野】
本発明は、伝票とその控えのような複数枚綴りの一連の記録物をページ単位でそれぞれ異なる給紙トレイに収容された種類の異なる記録媒体上に再現して出力する画像記録装置に関する。
【０００２】
【従来の技術】
従来、伝票などの複数ページからなる一連の記録物を作成する場合、一つの給紙カセットや給紙トレイなどの給紙部から繰り出された記録用紙に、連続して各ページの画像を形成することで記録物を作成していた。そのため、各ページごとに異なる紙質の記録用紙に、一連の画像を順次記録させる場合には、利用者は、希望する順番に各記録用紙を重ね合わせ、これらの記録用紙を手差し用の給紙部にセットする必要があった。
【０００３】
従って、上記のような複数枚綴りの一連のプリントジョブを大量に処理する場合には、記録用紙と画像との対応関係を考慮して、利用者が給紙部に記録用紙をセットする必要があり、そのセッティングに大変手間がかかるという問題があった。また、紙質の異なる記録用紙を重ねて給紙するために、画像記録装置での給紙不良などが発生することもあった。
【０００４】
さらに、利用者が誤って同じ紙質の記録用紙を複数枚重ねて給紙部にセットした場合には、所望する記録用紙に所望する画像が記録されなくなるという問題が発生する。そのため、大量のプリントジョブを連続して処理する場合には、記録用紙と記録画像との対応関係にずれが生じ、一連の記録物を所望通りに作成できないことがある。
【０００５】
そこで、異なる複数種類の記録用紙からなる複数枚綴りの一連の記録物を完成させるために、予め複数の給紙トレイに記録用紙を分類してセットし、画像を記録する際に、記録用紙を供給する給紙トレイを切り換えて、各記録用紙に画像を順次記録し、これらを一連の記録物として出力するようにした印刷装置が提案されている（例えば、特許文献１参照）。
【０００６】
【特許文献１】
特開平１１−１０５３６７号公報（図２、段落「００１８」〜「００２４」）
【０００７】
【発明が解決しようとする課題】
しかしながら、上記特許文献１に記載の印刷装置では、各給紙トレイにセットされた記録用紙のサイズを確認していないので、複数枚綴りの一連の記録物のサイズを統一することができないという問題がある。つまり、上記印刷装置では、一連の記録物を作成する際に、指定された給紙トレイから記録用紙が給紙されるが、その際に、給紙トレイに収納されている記録用紙のサイズは確認されていない。
【０００８】
そのため、上記印刷装置に一連の記録物の作成が要求された場合に、各給紙トレイ内に収納されている記録用紙のサイズが異なっていると、サイズの異なる記録用紙を含んだ一連の記録物を形成してしまう可能性がある。
【０００９】
また、複数の給紙トレイから記録用紙を給紙する際に、用紙切れなどにより記録用紙の供給ができなくなると、複数枚綴りの一連の記録物のプリントジョブが途中で中断したり、一連の記録物内にてページの欠落を招き、完全な状態の記録物を提供できなくなる。
【００１０】
さらに、上記のように、一連の記録物が不完全な状態で得られると、利用者が後に欠損ページを出力しなければならないが、その際に、すでに出力されたページが記録された記録用紙が分からなくなることがある。また、再度、一連の記録物のプリントジョブが行われた場合には、すでに出力済みのページが再び印刷されることになり、記録用紙等の資源を無駄に使用してしまうことになる。
【００１１】
本発明は、このような実情に鑑みてなされ、異なる給紙部に収容された種類の異なる記録用紙から、複数枚綴りの一連の記録物を完全な状態で出力できる画像記録装置を提供することを目的とする。
【００１２】
【課題を解決するための手段】
本発明は、上述の課題を解決するための手段を以下のように構成している。
【００１３】
（１）一連のジョブとして入力された複数頁からなる画像データの各頁を、それぞれ異なる給紙部に収容された記録用紙上に記録するように、記録動作を制御する制御部を備えた画像記録装置において、
上記給紙部に収容されている上記記録用紙に関する情報を管理している管理部を備え、上記制御部は、上記管理部から出力される上記記録用紙に関する情報に基づいて、上記記録動作を制御することを特徴とする。
【００１４】
この構成においては、伝票などのように、複数頁からなる画像データの印刷処理を行う場合に、給紙部に収容されている記録用紙に関する情報に基づいて記録動作が行われる。そのため、給紙部に収容されている記録用紙に不備がある場合や、印刷処理に適していない記録用紙が収容されている場合などには、記録動作を行わないように制御することができる。
【００１５】
これにより、各頁の画像データが、それぞれ異なる給紙部に収容された種類の異なる記録用紙に記録される場合にも、画像データが記録された複数枚の記録用紙（以下、一連の記録物と記載する）に不具合が生じるのが防止され、一連の記録物を取り扱い易いものとすることができる。
【００１６】
（２）上記記録用紙に関する情報は、記録用紙のサイズに関する情報であり、上記制御部は、上記異なる給紙部に収容されている記録用紙のサイズが同一である場合に、上記記録動作を実行するように制御することを特徴とする。
【００１７】
この構成においては、各給紙部に収容されている記録用紙のサイズがすべて同サイズである場合にのみ、記録動作が行われる。従って、得られる一連の記録物は、各頁が全て同一サイズの記録用紙に記録されることになる。
【００１８】
そのため、各頁の画像データが、それぞれ異なる給紙部に収容された記録用紙に記録される場合にも、得られる一連の記録物の記録用紙のサイズを統一することができる。これにより、一連の記録物を取り扱い易いものとすることができ、利用者にとっての利便性が向上する。
【００１９】
（３）上記記録用紙に関する情報は、上記給紙部内の記録用紙の収容状況に関する情報であり、
上記制御部は、上記給紙部内に記録用紙が収容されていない場合には、上記記録動作を禁止するように制御することを特徴とする。
【００２０】
この構成においては、記録用紙が収容されていない給紙部が存在する場合には、記録動作を行わない。従って、欠落頁を生じることなく、すべての頁の画像データが記録用紙に記録された完全な一連の記録物を得ることができる。
【００２１】
これにより、各頁の画像データが、それぞれ異なる給紙部に収容された記録用紙に記録される場合にも、利用者に対して、不備のない一連の記録物を確実に提供することができる。
【００２２】
（４）上記画像データが記録された画像記録面が露出するように記録用紙を載置する第１の載置部と、上記画像記録面が露出しないように記録用紙を載置する第２の載置部と、を備え、
上記制御部は、上記第１の載置部に上記記録用紙を載置する場合と、上記第２の載置部に上記記録用紙を載置する場合とで、上記異なる給紙部からの記録用紙の給紙の順序を切り換えることを特徴とする。
【００２３】
この構成においては、画像記録面を上にして、該画像記録面が露出するようにフェイスアップにて、排出された記録用紙を載置する第１の載置部と、画像記録面を下にして、該画像記録面が露出しないようにフェイスダウンにて、排出された記録用紙を載置する第２の載置部とを備えている。そして、記録用紙を第１の載置部に載置する場合と、第２の載置部に載置する場合とで、各給紙部からの記録用紙の給紙の順序を切り換えている。
【００２４】
そのため、画像データが記録された記録用紙を上記載置部に載置する場合に、一連の記録物を頁の順序に従って重ね合わせて、フェイスアップまたはフェイスダウンにて載置することができる。これにより、利用者の選択で、好ましい状態で一連の記録物を頁順に得ることができるので、利便性が向上する。
【００２５】
【発明の実施の形態】
本発明の実施の一形態に係る画像記録装置について図面を参照しつつ詳細に説明する。
【００２６】
図２は、デジタル複合機（画像記録装置）１の要部構成を示し、このデジタル複合機１は、画像読み取り部１１０、操作部１１２、画像形成部２１０、機器制御部２３０、通信部２４０、ハードディスク２５０および管理部２７０を備えている。また、上記デジタル複合機１は、ＬＡＮなどのネットワークを介して、パーソナルコンピュータ（ＰＣ）（１）・（２）に接続されている。
【００２７】
画像読み取り部１１０は、例えばＣＣＤ読み取り装置１１６を備えており、画像データを入力する画像データ入力手段として働く。操作部１１２は、各種入力キーなどを備えた入力部１１２ａとＬＣＤなどの表示手段を備えた表示部１１２ｂとを有しており、装置の操作や条件を入力したり条件などを表示する。
【００２８】
画像形成部２１０は、揮発性メモリ２６０とＬＳＵ（レーザ走査ユニット）などの印字部２２７を有しており、画像データ記憶手段に記憶されている画像データを出力する画像データ出力手段として働く。なお、画像形成部２１０の詳細な構成については、後述する。
【００２９】
機器制御部（この発明の制御部）２３０は、デジタル複合機１を構成する各部の動作を監視すると共に、複合機として的確な動作を行うように装置全体を制御する。通信部２４０は、ネットワーク上に設置されたパーソナルコンピュータなどのクライアントマシン間との通信を制御する。
【００３０】
ハードディスク（ＨＤ）２５０は、各入力手段（入力経路：デジタル複合機として搭載された各モード、例えば、スキャナ、ファックス、ネットワークなど）から入力された画像データを記憶する画像データ記憶手段として働く。画像データ記憶手段は、例えば、磁気記憶媒体を備えた記憶装置として構成することができる。
【００３１】
管理部２７０は、上記機器制御部２３０における装置各部の制御に必要な情報を管理し、後述するように、この管理部２７０から出力される記録用紙に関する情報に基づいて、機器制御部２３０が記録動作を制御する。
【００３２】
このデジタル複合機１を複写機として利用する場合には、画像読み取り部１１０にて読み取られた原稿の画像データが、画像形成部２１０から複写物として出力される。
【００３３】
画像読み取り部１１０には、後述するように、ＣＣＤ１１６が備えられており、読み取り位置にセットされた原稿の画像を電子的に読み取ることができる。そして、読み取られた原稿の画像データは、揮発性のメモリ２６０上に出力画像として完成され、一旦ハードディスク２５０へ記憶される。原稿が複数ある場合は、この読み取り、記憶の動作が繰り返される。
【００３４】
その後、操作部１１２から指示された処理モードに基づいて、ハードディスク２５０に記憶された画像データが適切なタイミングで順次読み出され揮発性のメモリ２６０に送られる。そして、画像形成部２１０への書き込みタイミングに合わせて画像データがメモリ２６０から印字部２２７へと転送される。
【００３５】
また、読み取った画像データを複数枚印字する場合も、同様に出力画像としてページ単位でハードディスク２５０へ記憶され、出力するモードに合わせてハードディスク２５０から揮発性メモリ２６０に送られ、出力枚数の分だけ繰り返し画像形成部２１０への書き込みタイミングに合わせて印字部２２７へ転送される。
【００３６】
次に、このデジタル複合機１をプリンタとして使用する場合には、通信部２４０にて受信した画像データがメモリ２６０などを介して画像形成部２１０から出力される。
【００３７】
通信部２４０は、通信ケーブルなどによりネットワークと接続されており、ネットワーク上に接続されたパーソナルコンピュータなどの機器から画像データを受信するようになっている。
【００３８】
通信部２４０にて受信された画像データは、出力する画像データとしてページ単位にメモリ２６０に送られ、一旦、ハードディスク２５０へ記憶される。そして、再びハードディスク２５０から揮発性のメモリ２６０に送られ、複写機として利用する場合と同様にして印字部２２７へと転送される。
【００３９】
また、本デジタル複合機１をネットワークスキャナとして利用する場合には、画像読み取り部１１０において読み取られた原稿の画像データを、通信部２４０からネットワークを介して任意のパーソナルコンピュータへ送信することができる。ここでも画像読み取り部１１０に備えられたＣＣＤ１１６により原稿の画像を電子的に読み取る。
【００４０】
読み取られた原稿の画像データは、揮発性のメモリ２６０上に出力画像として完成され、一旦ハードディスク２５０へ記憶される。そして、再びハードディスク２５０から揮発性のメモリ２６０に送られ、操作部１１２を介して指示された送信先との通信を確立させた上で通信部２４０から目的の送信先へと送信される。
【００４１】
さらに、通信部２４０は、ネットワーク以外に電話回線と接続されており、本デジタル複合機１をファクシミリ装置として利用する場合にも同様の動作が行われ、外部通信装置との原稿画像の送信および受信が可能である。
【００４２】
なお、ここでは画像データを一時的に保存する記憶装置としてハードディスク２５０を備えたデジタル複合機として説明しているが、これに限らず、デジタル複合機１本体から取り外されても保存された画像データを保持することができる不揮発性のメモリや、バックアップ機能の付いたメモリ、磁気記憶媒体を用いたその他の記憶装置（媒体）などを備えている場合についても同様に適用することが可能である。
【００４３】
また、本デジタル複合機１の各構成部は、機器制御部２３０により制御され、操作部１１２に設けられたタブレット、キー群などの入力部１１２ａからの操作指示を監視する共に、表示部１１２ｂを介してデジタル複合機の状態に関する情報など利用者に通知すべき情報を的確に案内表示する。また、管理部２７０には、機器制御部２３０により管理されている各構成部に関する情報が管理されており、これら情報に基づいて、機器制御部２３０がデジタル複合機全体の動作を制御する。
【００４４】
次いで、本デジタル複合機１に備えられた画像読み取り部１１０及び画像形成部２１０の構成について、図１に基づいて説明する。まず、デジタル複合機１の上面には、原稿台１１１及び操作パネルが設けられており、その原稿台１１１の上面には該原稿台１１１に対して開閉可能な状態で支持された自動原稿送り装置が装着されている。さらに、このデジタル複合機１の内部には画像読み取り部１１０及び画像形成部２１０が設けられている。
【００４５】
画像読み取り部１１０について説明すると、原稿台１１１上の所定位置に原稿画像面を下にしてセットされた原稿の画像を読み取るために、原稿台１１１の下方には該原稿台１１１の下面に沿って平行に往復移動する原稿走査体１１３・１１４が配置されている。
【００４６】
この原稿走査体１１３・１１４は、原稿画像面を露光する露光ランプと原稿からの反射光像を所定の方向に向かって偏向する第１ミラーとからなる、原稿台下面において一定の距離を保ちながら所定の走査速度で平行往復移動する第１の走査ユニット１１３と、第１の走査ユニット１１３の第１ミラーにより偏向された原稿からの反射光像をさらに所定の方向に向かって偏向する第２・第３ミラーからなる、第１の走査ユニット１１３と一定の速度関係をもって平行往復移動する第２の走査ユニット１１４とから構成されている。
【００４７】
そして、第２の走査ユニットの第３ミラーにより偏向された原稿からの反射光像を縮小して光像を結像させる光学レンズ１１５と、光学レンズ１１５により縮小された光像が結像され光像を順次光電変換して原稿からの反射光像を電気信号として出力する光電変換素子１１６とが配置されている。この光電変換素子１１６により電気信号に変換された原稿画像情報は、画像処理部２１０に転送され画像データとして所定の処理が施される。
【００４８】
次に、デジタル複合機１の下部側に配設さている画像形成部２１０について説明すると、画像形成部２１０内の下側には、給紙機構２１１が設けられており、給紙トレイ（この発明の給紙部）２１１ａ・２１１ｂ内に積載収容されている記録用紙を１枚ずつ分離して、後述する画像ステーション側に向かって供給する。また、デジタル複合機１の右側面には手差しトレイ（この発明の給紙部）２１１ｃが設けられ、この手差しトレイ２１１ｃにセットされた記録用紙も、呼び込みローラ２１１ｄにより１枚ずつ分離され画像ステーション側に向かって供給される。
【００４９】
そして、給紙トレイ２１１ａ・２１１ｂ、あるいは手差しトレイ２１１ｃから１枚ずつ分離供給された記録用紙は、画像形成部２１０の手前に配置されたレジストローラ対２１２まで搬送され、画像形成部２１０とタイミングをとって再供給搬送される。
【００５０】
また、後述する画像ステーションにおいて再現された画像（トナー像）は、転写装置により記録用紙上に転写される。この画像ステーションの下流側には、略平行にのびた搬送ベルト機構２１３がありトナー像が転写された記録用紙を搬送する構成となっている。
【００５１】
さらに、搬送ベルト機構２１３の下流側には記録用紙上に転写形成されたトナー像を記録用紙上に定着させるための定着装置２１７が配置されており、この定着装置２１７の定着ローラニップ間を通過した記録用紙は、トナー像が定着され、搬送方向切り換えゲート２１８を経て排出ローラ２１９によりデジタル複合機１の外部に取り付けられている排紙トレイ（この発明の第１の載置部）２２０ａ上に排出される。
【００５２】
このとき、記録用紙が排出トレイ２２０ａへ直接排出されると、該記録用紙は、画像が記録された画像記録面を上にして（フェイスアップ排出）順次積載される。なお、切り換えゲート２１８は定着後の記録用紙をデジタル複合機１の外部へと排出するか、再び画像形成部２１０に向かって再供給するか、選択的に記録用紙の搬送経路を切り換えるものである。
【００５３】
従って、上記切り換えゲート２１８によって搬送方向を切り換え、スイッチバック搬送経路２２１を介して、記録用紙の表裏を反転した後、排出トレイ２２０ａの下方に設けられたもう一方の排出トレイ（この発明の第２の載置部）２２０ｂ上に排出するようにしてもよい。このとき、記録用紙は、画像記録面を下にして（フェイスダウン排出）順次積載されることとなる。
【００５４】
また、記録用紙の両面に画像を記録する場合には、上記切り換えゲート２１８により再び画像形成部２１０に向かって搬送方向を切り換える。その後、スイッチバック搬送経路２２１を介して表裏反転し、画像形成部２１０へと再度供給されて画像が記録される。その後、排出トレイ２２０ａへと排出される。
【００５５】
上記画像ステーションは、回転駆動される感光体ドラム２２２を含み、各感光体ドラム２２２の周辺には、感光体ドラムを一様に帯電する帯電器２２３と、感光体ドラム２２２上に形成された静電潜像を現像する現像装置２２４と、現像されたトナー像を転写材へ転写する転写用放電器２２５と、感光体ドラム上に残留するトナーを除去するクリーニング手段２２６が感光体ドラム２２２の回転方向に沿って順次配置されている。
【００５６】
また、各感光体ドラム２２２の上方には、画像データに応じて変調されたドット光を発する半導体レーザ素子と、半導体レーザ素子からの光を主走査方向に偏向させるための偏向装置と、偏向装置により偏向されたレーザ光を感光体表面に結像させるためのｆθレンズなどから構成されるレーザービームスキャナユニット２２７が設けられている。レーザービームスキャナ２２７には原稿画像に対する画素信号が入力される。これにより記録部の感光体２２２上には原稿画像情報に対する静電潜像が形成され、記録部において原稿画像情報がトナー像として再現される。
【００５７】
画像ステーションにて、トナー像が上記構成によりそれぞれ形成され、記録用紙への画像の転写が行われ完了すると、上記したように定着装置２１７へと導かれる。そして最後にトナー画像が定着された記録用紙は、排出ローラ２１９を経て排紙トレイ２２０ａあるいは排紙トレイ２２０ｂ上へと排出される。
【００５８】
次に、上記構成のデジタル複合機１にて、ネットワークを介して接続されているＰＣ（１）などの外部機器から転送されたデータに基づいて、印刷処理を行う場合について説明する。
【００５９】
ＰＣ（１）にて、上記デジタル複合機１に対して印刷処理を指示する場合には、図４に示すように、ＰＣ（１）の表示部１０に、印刷処理指示画面１１を表示する。印刷処理指示画面１１では、印刷処理を実行するための印刷条件の設定を行うために、各種の印刷条件が表示される。すなわち、本実施の形態では、印刷処理を実行する処理装置名（図中、プリンタ）、印刷範囲や印刷枚数、伝票のような（同一記録内容の）複数枚綴りの記録物の印刷（カーボンプリントモードでの印刷）であるか否かを示すカーボンプリントなどが表示される。また、図示していないが、記録物をフェイスアップ排出又はフェイスダウン排出のいずれにて排出するかを設定することもできる。
【００６０】
利用者は、この印刷処理指示画面１１の表示に基づいて、各種の印刷条件の設定を行う。例えば、図３（ｂ）に示される３枚綴りの伝票の印刷処理を実行する場合には、図４に示す印刷処理指示画面１１内にあるカーボンプリントの表示の隣に位置するボックス１２にチェックを入れる。
【００６１】
これにより、図４に示すように、伝票の各ページを印刷する記録用紙を収納した給紙トレイを選択するためのトレイ表示１３がなされる。トレイ表示１３は、印刷処理を行う伝票のページ数に応じて表示される。ここでは、伝票のページ数は３ページであるため、１枚目〜３枚目のそれぞれについて、給紙トレイを選択するための表示がなされる。
【００６２】
そして、利用者は、所望する印刷用紙が収納されている給紙トレイを、各ページごとに選択する。すなわち、１枚目の伝票を記録するためにトレイ１を選択し、２枚目の伝票を記録するためにトレイ２を選択し、３枚目の伝票を記録するために手差しトレイを選択する。なお、トレイ１・２及び手差しトレイは、上記した図１に示す給紙トレイ２１１ａ〜２１１ｂ・手差しトレイ２１１ｃに対応するものである。また、前述したように、プリンタの指定１５、印刷範囲の設定（「全て」と「ページ設定」）１６及び印刷枚数の設定１６も画面上で行えるようになっている。
【００６３】
このように、利用者は、図４に示す印刷処理指示画面１１上にて、伝票の各種印刷条件を設定し、図中「ＯＫ」ボタン１４をクリックする。これにより、ＰＣ（１）からネットワークを介して、デジタル複合機１に、伝票の印刷処理に関するデータ（以下、転送データ）が転送される。
【００６４】
ＰＣ（１）から転送されてくる転送データは、図３（ａ）に示すように、印刷処理に関する指示情報と、各ページごとのページ情報とを備えている。上記指示情報は、カーボンプリント等のプリントモード、記録用紙のサイズ、印刷枚数、選択された給紙トレイに関する情報、フェイスアップ排出・フェイスダウン排出など、図４に示す印刷処理指示画面１１上にて、利用者が設定した各種の印刷条件に関する情報を含んでいる。
【００６５】
また、ページ情報は、印刷処理によって記録用紙に記録される各ページの画像データである。図３（ａ）に示す転送データのページ情報として、３ページ分の画像データを示しているが、このページ情報の量は、印刷処理を行うページ数に応じて変化する。
【００６６】
例えば、上記転送データが、図３（ｂ）に示される３枚綴りの伝票である場合には、図３（ａ）に示すように、指示情報に、プリントモードがカーボンプリントであること、用紙サイズ、各ページごとに選択された給紙トレイなどに関する情報が含まれている。さらに、ページ情報として３ページ分の画像データが含まれている。
【００６７】
伝票に関する上記転送データは、図２に基づいて説明したように、通信部２４０にて受信され、一旦ハードディスク２５０に保存され、その後、図５に示すフローチャートに従って画像形成部２１０にて印刷処理が行われる。
【００６８】
すなわち、図４に示す印刷処理指示画面１１上にて、プリントモードとしてカーボンプリントが選択されると、まず、ステップｓ１にて、デジタル複合機１（図２）の通信部２４０が、図３（ａ）に示す転送データを受信する。ステップｓ２では、受信した転送データをハードディスク２５０に保存し、ステップｓ３に進む。
【００６９】
ステップｓ３では、図２に示す機器制御部２３０が、管理部２４０にて管理されている給紙トレイの情報に基づき、上記転送データの指示情報に含まれる選択された給紙トレイに収容されている記録用紙のサイズを確認する。この記録用紙サイズの確認は、複数ページの伝票の印刷処理は、通常、同一サイズの記録用紙が用いられることが多いために行われる。つまり、伝票の各ページを同一サイズの記録用紙に印刷処理するために、行われる。従って、ステップｓ３にて、選択された各給紙トレイに収容されている記録用紙のサイズがすべて同じであると判定されれば、ステップｓ６に進む。
【００７０】
一方、ステップｓ３にて、選択された各給紙トレイに収容されている記録用紙のサイズが異なっていると判定されれば、ステップｓ４に進み、ＰＣ（１）の表示部１０（図４）に、確認メッセージを表示する（図示せず）。ステップｓ５では、利用者がこの確認メッセージを確認し、図４に示す印刷処理指示画面１１上で給紙トレイの変更が行われたか否かを判定する。ステップｓ５にて、給紙トレイの変更がなされれば、ステップｓ３に戻って上記の操作を行う。一方、ステップｓ５にて、給紙トレイの変更が行われなければ、給紙トレイの変更が行われるまで待機する。
【００７１】
ステップｓ３にて、記録用紙のサイズが適当であると判定されると、ステップｓ６にて、選択された各給紙トレイに、記録用紙が収容されているか否かを判定する。ステップｓ６にて、選択されたすべての給紙トレイに記録用紙が収容されていると判定されれば、ステップｓ８に進む。これに対し、記録用紙が収容されていない給紙トレイが一つでもあると判定されれば、ステップｓ７に進み、ＰＣ（１）の表示部１０（図４）又はデジタル複合機１の表示部１１２ｂ（図２）に、確認メッセージを表示し、ステップｓ６に戻る。
【００７２】
ステップｓ８では、上記転送データの指示情報にて、フェイスアップ排出が選択されているか否かを判定する。ステップｓ８にて、フェイスアップ排出が選択されていると判定されれば、ステップｓ９に進む。フェイスアップ排出が選択されている場合、伝票の最終ページから順次印刷して排紙トレイ２２０ａ（図１参照）上に排出することにより、伝票をページ順に重なった状態として得ることができる。
【００７３】
そこで、ステップｓ９では、まず、最終ページであるＮ頁目の画像データを読出し、ステップｓ１０にて該Ｎ頁目の画像データを、指定された給紙トレイに収容されている記録用紙に記録する。ステップｓ１１では、Ｎ頁目の１つ前のページの印刷処理を行うために、Ｎから１を差し引き、（Ｎ−１）をＮ′に置換する。ステップｓ１２では、Ｎ′が０より大きいか否かを判定し、Ｎ′≦０であれば、転送データに含まれるページ情報をすべて印刷処理が完了したことになるので、印刷処理を終了する。これに対し、ステップｓ１２にて、Ｎ′≦０でなければ、ステップｓ１３に進み、Ｎ′をＮに置換して、再びステップｓ９以降の動作を繰り返す。
【００７４】
一方、ステップｓ８にて、フェイスアップ排出が選択されていない場合、すなわち、フェイスダウン排出が選択されている場合はステップｓ１４に進む。フェイスダウン排出の場合、伝票の１ページ目から順次印刷して排紙トレイ２２０ｂ（図１参照）上に排出することにより、伝票をページ順に重なった状態として得ることができる。
【００７５】
そこで、ステップｓ１４では、１ページ目をＮページに置換し、ステップｓ１５にてＮ頁目の画像データを読み出す。ステップｓ１６では、ステップｓ１５にて読み出されたＮ頁目の画像データを、指定された給紙トレイに収容されている記録用紙に記録する。ステップｓ１７では、Ｎ頁目の１つ後のページの印刷処理を行うために、Ｎに１を加え、（Ｎ＋１）をＮ′に置換する。
【００７６】
ステップｓ１８では、Ｎ′ページが、転送データに含まれる最終ページに相当するか否かを判定し、最終ページであると判定されれば、転送データに含まれるページ情報をすべて印刷処理が完了したことになるので、印刷処理を終了する。これに対し、ステップｓ１８にて、最終ページではないと判定されれば、ステップｓ１９に進み、Ｎ′をＮに置換して、再びステップｓ１５以降の動作を繰り返す。
【００７７】
以上のように、本実施の形態のデジタル複合機１にて、伝票のような複数枚綴りの記録物の印刷処理が要求された場合には、選択された給紙トレイに収容されている記録用紙のサイズや記録用紙の収容状況の確認が行われる。記録用紙のサイズを確認することによって、出力される伝票の各ページの記録用紙のサイズを統一することができる。
【００７８】
これにより、利用者にとって、伝票の整理などの取り扱いが容易になる。また、記録用紙の収容状況の確認が行われることによって、欠損ページのない完全な伝票を、利用者に確実に提供することができる。
【００７９】
さらに、出力する伝票の排出状態、すなわち、フェイスアップ排出／フェイスダウン排出に応じて、給紙トレイからの給紙の順序を切り換えて、伝票の印刷処理の順序を変更している。これにより、伝票をページ順に重なった状態として得ることができるので、出力された伝票を受け取った利用者に混乱を与えることはない。
【００８０】
なお、本発明は、画像記録装置を、図１に示す構成に限定するものではなく、一連のジョブとして入力された複数頁からなる画像データの各頁を、それぞれ異なる給紙部に収容された記録用紙上に記録するように、記録動作を制御する制御部を備えた画像記録装置であれば、その構成や形式の如何を問わず、本発明を適用することができる。
【００８１】
【発明の効果】
以上の説明から明らかなように、本発明は、以下の効果を奏する。
【００８２】
（１）管理部から出力される記録用紙に関する情報に基づいて記録動作が制御されるので、伝票などのように、複数頁からなる画像データの印刷処理を行う場合に、給紙部に収容されている記録用紙に関する情報に基づいて記録動作が行われる。
【００８３】
そのため、給紙部に収容されている記録用紙に不備がある場合や、印刷処理に適していない記録用紙が収容されている場合などには、記録動作を行わないように制御することができる。
【００８４】
これにより、各頁の画像データが、それぞれ異なる給紙部に収容された種類の異なる記録用紙に記録される場合にも、画像データが記録された複数枚の記録用紙（以下、一連の記録物と記載する）に不具合が生じるのが防止され、一連の記録物を取り扱い易いものとすることができる。
【００８５】
（２）各給紙部に収容されている記録用紙のサイズがすべて同サイズである場合にのみ、記録動作が行われるので、得られる一連の記録物は、各頁が全て同一サイズの記録用紙に記録されることになる。
【００８６】
そのため、各頁の画像データが、それぞれ異なる給紙部に収容された記録用紙に記録される場合にも、得られる一連の記録物の記録用紙のサイズを統一することができる。これにより、一連の記録物を取り扱い易いものとすることができ、利用者にとっての利便性が向上する。
【００８７】
（３）記録用紙が収容されていない給紙部が存在する場合には、記録動作が行われないため、欠落頁を生じることなく、すべての頁の画像データが記録用紙に記録された完全な一連の記録物を得ることができる。
【００８８】
これにより、各頁の画像データが、それぞれ異なる給紙部に収容された記録用紙に記録される場合にも、利用者に対して、不備のない一連の記録物を確実に提供することができる。
【００８９】
（４）画像記録面を上にして該画像記録面が露出するようにフェイスアップにて排出された記録用紙を載置する第１の載置部と、画像記録面を下にして該画像記録面が露出しないようにフェイスダウンにて排出された記録用紙を載置する第２の載置部とを備え、記録用紙を第１の載置部に載置する場合と、第２の載置部に載置する場合とで、各給紙部からの記録用紙の給紙の順序を切り換えるので、一連の記録物を頁の順序に従って重ね合わせて、利用者の選択により、好ましい状態（フェイスアップまたはフェイスダウン）にて、一連の記録物を頁順に得ることができるので、利便性が向上する。
【図面の簡単な説明】
【図１】本発明の実施の一形態に係る画像記録装置の構成説明図である。
【図２】同画像記録装置の要部構成の説明図である。
【図３】同３枚綴りの伝票の説明図である。
【図４】同画像記録装置に接続される外部接続機の表示部の説明図である。
【図５】同画像記録装置の印刷処理の流れを示すフローチャートである。
【符号の説明】
１−画像記録装置
２１１ａ，２１１ｂ，２１１ｃ−給紙部
２２０ａ−第１の載置部
２２０ｂ−第２の載置部
２３０−制御部
２７０−管理部
【図１】
2004206012.tif 000003
【図２】
2004206012.tif 000004
【図３】
2004206012.tif 000005
【図４】
2004206012.tif 000006
【図５】
2004206012.tif 000007